(57)【要約】【課題】自転車乗車用レインコートにおいて、自転車を運転したり同乗したりする者にとってヘルメットの着用時と非着用時との双方で好適に使用できるようにする。【解決手段】着用者の頭部から下の少なくとも上半身を覆うことのできるコート本体２と、このコート本体２の上部に設けられ、着用者の頭部を覆うことが可能な標準フード３と、着用者がヘルメットを被っているときに当該ヘルメットを覆うことが可能なように標準フード３の背後でコート本体２の上部に設けられるヘルメット用フード４とを有したものとする。【選択図】図１
2010095822.tif 000002
【特許請求の範囲】
【請求項１】
着用者（Ｍ）の頭部（ｈ）から下の少なくとも上半身を覆うことのできるコート本体（２）と、このコート本体（２）の上部に設けられ、着用者（Ｍ）の頭部（ｈ）を覆うことが可能な標準フード（３）と、着用者（Ｍ）がヘルメット（２０）を被っているときに当該ヘルメット（２０）を覆うことが可能なように、標準フード（３）の背後でコート本体（２）の上部に設けられるヘルメット用フード（４）とを有していることを特徴とする自転車乗車用レインコート。
【請求項２】
前記ヘルメット用フード（４）は、ヘルメット（２０）の前頭部を覆う前縁部がヘルメット外形状に馴染んだ接触状態を可能にする立体カーブを有して形成されていることを特徴とする請求項１記載の自転車乗車用レインコート。
【請求項３】
前記ヘルメット用フード（４）の前縁部には、その前縁部に沿って弾性収縮力を有する絞り紐材（２１）が設けられていることを特徴とする請求項１又は請求項２記載の自転車乗車用レインコート。
【請求項４】
前記ヘルメット用フード（４）とコート本体（２）とは係脱手段（５）を介して取り付けられており、ヘルメット用フード（４）が繰り返し着脱自在となっていることを特徴とする請求項１乃至請求項３のいずれか１項に記載の自転車乗車用レインコート。
【発明の詳細な説明】
【技術分野】
【０００１】
本発明は、自転車乗車用レインコートに関するものである。
【背景技術】
【０００２】
自転車乗車用のヘルメットには、着用時における頭部の蒸れを防止するため、帽体肉厚を貫通する通気孔が設けられたものがある。この通気孔は、空気取り入れ性やデザイン性を重視する観点から、前後方向に長い流線型や波形、或いは長穴状等、比較的、大きな開口を有して形成されているのが特徴である。この種のヘルメットは、子供が自転車を運転したり同乗したりする場合にも着用が推奨され、最近では義務化への傾向も見られる。
ところが、自転車に乗車中、雨天となった場合には、ヘルメットに設けられた上記通気孔を介してヘルメット内に雨が入り込む不都合があった。自転車の乗車に適したレインコートには着用者が頭部へ被るフードが付いているものも市販されているが、ヘルメットを着用している場合、フードは使用できない。
【０００３】
なお、工事現場や工場など、ヘルメットの着用が規則化乃至義務化された場所と、ヘルメットの着用は任意とされる場所（例えば通勤などで現場や工場の外を移動する時など）との双方で使用できるようにした雨合羽が提案されている（特許文献１参照）。
この雨合羽は、合羽本体の襟部分に対してフードの取付位置を上下２段に付け替えることができるようになっており、ヘルメットを着用している場合にはフードを高位置へ付け替えて、このフードでヘルメットをも被覆できるようにしていた。
【特許文献１】特開２００７−１３８３３０号公報
【発明の開示】
【発明が解決しようとする課題】
【０００４】
従来公知の雨合羽（特許文献１のもの）では、ヘルメットの着用時と非着用時とでフードの取付位置を付け替える場合、合羽本体からフードを取り外すという行為を必ず必要としていたため、面倒であった。またフードの裾や合羽本体の襟部分において、両者の着脱を可能にする取付具（ボタンホック等）まわりで破れなどを誘発する要因にもなっていた。
のみならず、フードは、ヘルメットをも被覆できるように大きなサイズに製作してあったため、ヘルメットの非着用時にその取付位置を低位置へと付け替えたとしても、着用者の頭部を被覆した状態は頭部に対しては大き過ぎてブカブカの様相となる。
【０００５】
そのため、この雨合羽を着用したとき、首をまわしているにも拘わらず（左右を見たり振り返ったりするため頭部を回したとき）、フードは動かないか又は動きが小さくなり、その結果、視角が妨げられてしまうということがあった。また前方から風を受けたときには、フード内に風が入り込むことに伴って簡単に頭部から脱げてしまうという不具合があった。
これらのことから、この従来公知の雨合羽は、自転車に乗るときに着用するには不向きと言わざるを得ないものであった。
【０００６】
本発明は、上記事情に鑑みてなされたものであって、自転車を運転したり同乗したりする者にとってヘルメットの着用時と非着用時との双方で好適に使用できるようにした自転車乗車用レインコートを提供することを目的とする。
【課題を解決するための手段】
【０００７】
前記目的を達成するために、本発明は次の手段を講じた。
即ち、本発明に係る自転車乗車用レインコートは、着用者の頭部から下の少なくとも上半身を覆うことのできるコート本体と、このコート本体の上部に設けられ、着用者の頭部を覆うことが可能な標準フードと、着用者がヘルメットを被っているときに当該ヘルメットを覆うことが可能なように、標準フードの背後でコート本体の上部に設けられるヘルメット用フードとを有している。
このような構成であると、ヘルメットの非着用時には標準フードを使い、ヘルメットの着用時にはヘルメット用フードを使うといった具合に、両フードの使い分けをするだけでよいので、面倒がない（従来とは異なり、いちいちコート本体からフードを取り外すという手間は不要である）。
【０００８】
また、標準フードは着用者の頭部に合わせたサイズで製作できるものであり、ヘルメット用フードはヘルメットに合わせたサイズで製作できるものであるから、いずれもピッタリサイズとすることができる。そのため、首をまわす（左右を見たり振り返ったりするため頭部を回す）動作にも各フードが柔軟に追随し、安全の確認がし易い（視角が妨げられることはない）という利点がある。
更に、前方から風を受けてもフード内に風が入り込み難いため、意に反して各フードが脱げてしまうという不具合も防止されるものである。これらのことは、自転車の運転時や同乗時に使用することを前提とするレインコートとして、非常に重要であり且つ有益な点である。
【０００９】
ヘルメット用フードは、ヘルメットの前頭部を覆う前縁部がヘルメット外形状に馴染んだ接触状態を可能にする立体カーブを有して形成されたものとするのが好適である。
このようにすると、前方からの風がフード内に入り込むのを確実に防止できるので、フードの脱げを確実に防止できる効果は一層高くなる。また、雨水の浸入も防止できるようになる。
ヘルメット用フードの前縁部には、その前縁部に沿って弾性収縮力を有する絞り紐材が設けられているものとすると尚良い。
【００１０】
このようにすると、ヘルメットに対してフードが密接に張り付いた状態に保持できる。すなわち、ヘルメットとフードとを一体的なものにできるため、これらヘルメットとフードとの界面への風雨の浸入を確実に防止できるものとなる。従って、フードの脱げ防止や雨水浸入の防止が可能であるばかりでなく、フードが風の影響によってヘルメット外面でばたつくような現象を防止できることになる。そのため、着用者が風の影響で頭部を強制的に振られるといったことをも防止できることになる。
ヘルメット用フードとコート本体とは係脱手段を介して取り付けられておりヘルメット用フードが繰り返し着脱自在となったものとするのが好適である。
【００１１】
このようにすることで、ヘルメットを着用しないときにはヘルメット用フードを外しておくことが可能になる。
【発明の効果】
【００１２】
本発明に係る自転車乗車用レインコートでは、自転車を運転したり同乗したりする者にとってヘルメットの着用時と非着用時との双方で好適に使用できるようになっている。
【発明を実施するための最良の形態】
【００１３】
以下、本発明の実施の形態を、図面に基づき説明する。
図１乃至図４は、本発明に係る自転車乗車用レインコート１の一実施形態を示している。このレインコート１は、コート本体２に対し、その上部に標準フード３とヘルメット用フード４とが設けられたものである。
ヘルメット用フード４は、標準フード３の背後に設けられている。なお、ヘルメット用フード４は、標準フード３を内包する形で設けるのが好ましい。また、本実施形態では、ヘルメット用フード４と標準フード３を備えたコート本体２とが係脱手段５を介して取り付けられた構造としてあり、必要に応じてヘルメット用フード４を繰り返し、コート本体２や標準フード３に対して着脱することができるようになっている。
【００１４】
コート本体２は、着用者Ｍの頭部ｈから下の少なくとも上半身を覆うように製作されている。本実施形態では、着用者Ｍが子供（幼児を含む）であって、自転車へ同乗させることを目的とする場合を想定してある。そのためコート本体２は、首まわり部１０から肩位置を覆い、膝下あたりまで垂れ下がるような形体としてある。肩位置の両側には左右の長袖部１１が設けられている。
コート本体２の前身頃中央は、レールファスナー（一般にジッパーやチャックなどの商標名で呼ばれているもの）や面ファスナー、ボタンホックなどで開閉できる構造を採用してもよいし、開閉部を設けずに、コート本体２の胴体部分が筒状を呈するようなポンチョ形としてもよい。
【００１５】
また、コート本体２の後身頃には、図２及び図４に示すように、左右方向に所定間隔をおいて縦方向のタック部１２が設けられている。これら左右のタック部１２にはそれぞれ閉じ具１３が設けられ、必要に応じてタック部１２を展開させたり折り畳んだ状態に保持させたりできるようになっている。閉じ具１３は、タック部１２の長手方向に沿って複数設けたボタンホックとしたが、レールファスナーや面ファスナー等でも良い。
タック部１２の上端部１２ａは着用者Ｍの背面上部（肩胛骨あたり）で折り畳んだ状態に縫製されている。そのため、閉じ具１３を外してタック部１２を展開させると、左右のタック部１２相互間を着用者Ｍの背側で後方へ向けて膨らませるようにすることができる。この膨らませた部分は、着用者Ｍが、デイパックやリュックサック、或いはランドセルなどの背負い型のバッグを背負っているときの収納スペースとして利用でき、頗る便利である。
【００１６】
標準フード３は、着用者Ｍの頭部ｈを覆うことが可能なように製作されたもので、好ましくは、図３（Ａ）に示すように、着用者Ｍの頭部ｈに合わせたピッタリサイズとするのが良い。ピッタリサイズとは、大きすぎない程度の常識的なサイズを言うものであり、個々人の頭部ｈに合わせたオーダーメイド的なものを指すものではない。
本実施形態においてこの標準フード３は、コート本体２の首まわり部１０に対して一体的に接合して設けられたものを示してある。接合方法は縫着としたが、接着としてもよい。またコート本体２と一体形成することも可能である。
【００１７】
標準フード３の前縁部は、着用者Ｍの頭部ｈに馴染んで接触し、顔だけを露出できるようにする立体カーブを有して形成されている。またこの前縁部には、その前縁部に沿って絞り紐材１５が設けられている。
この絞り紐材１５は、ゴム紐のように弾性収縮力を有した紐によって形成することで、標準フード３の前縁部が絞られ、着用者Ｍの顔面上部に対する密着性を高めることができる。絞り紐材１５を綿ロープや樹脂ロープのように非伸縮性の紐によって形成してもよく、この場合は、両側の紐端を外部へ露出させ、着用者Ｍが必要に応じて絞り込みを行えるようにしておくとよい。
【００１８】
ヘルメット用フード４は、図３（Ｂ）に示すように、着用者Ｍがヘルメット２０を被っているときに、このヘルメット２０を覆うことができるように、標準フード３よりも大きいサイズで形成されている。好ましくは、ヘルメット２０に合わせたピッタリサイズとするのが良い。ピッタリサイズとは、大きすぎない程度の常識的なサイズを言うものであり、種々様々なヘルメットの形状やサイズに合わせたオーダーメイド的なものを指すものではない。
上記したように、このヘルメット用フード４はコート本体２に対して係脱手段５を介して取り付けられ、着脱自在となっている。係脱手段５は、ヘルメット用フード４の下端、及びコート本体２の首まわり部１０に沿って複数（図例では３箇所）設けたボタンホックとしてある。勿論、係脱手段５は線ファスナーや面ファスナー等でも良い。
【００１９】
このヘルメット用フード４は、ヘルメット２０の前頭部を覆う前縁部がヘルメット外形状に馴染んだ接触状態を可能にする立体カーブを有して形成されている。またこの前縁部には、その前縁部に沿って絞り紐材２１が設けられている。
この絞り紐材２１は、ゴム紐のように弾性収縮力を有した紐によって形成することで、ヘルメット用フード４の前縁部が絞られ、ヘルメット２０に対してヘルメット用フード４が密接に張り付いた状態に保持されるようになる。
すなわち、ヘルメット２０とヘルメット用フード４とを一体的なものにできるため、これらヘルメット２０とヘルメット用フード４との界面への風雨の浸入を確実に防止できることになる。
【００２０】
以上、詳説したところから明かなように、本発明に係るレインコート１では、ヘルメット２０の非着用時には標準フード３を使い（図３（Ａ）参照）、ヘルメット２０の着用時にはヘルメット用フード４を使う（図３（Ｂ）参照）といった具合に、両フード３，４の使い分けをするだけでよいので、面倒がない。
なお、標準フード３の使用時（ヘルメット２０の非着用時）には、ヘルメット用フード４は標準フード３の後方へ垂らしておいてもよいし、係脱手段５で外してポケットなどへ収納しておいてもよい。またヘルメット用フード４の使用時（ヘルメット２０の着用時）には、標準フード３は小さく折りたたんで襟足部分（ヘルメット２０の後方下部）へ片寄せておいたり、或いはコート本体２内又は外の背側へ垂らしておいたりすればよい。
【００２１】
標準フード３は着用者Ｍの頭部にピッタリサイズで製作されており、ヘルメット用フード４はヘルメット２０にピッタリサイズで製作されているため、いずれのフード３，４を使用しているときも、着用者Ｍが首をまわす（左右を見たり振り返ったりするため頭部ｈを回す）動作に各フード３，４が柔軟に追随するようになる。そのため、自転車へ乗車中、安全の確認がし易い（視角が妨げられることはない）という利点がある。
更に、前方から風を受けてもフード３，４内に風が入り込み難いため、意に反して各フード３，４が脱げてしまうという不具合も防止される。雨水の浸入も防止される。従って、自転車の運転時や同乗時に非常に有益となっている。
【００２２】
従って、フードが風の影響によってヘルメット外面でばたつくような現象を防止できることになる。そのため、着用者Ｍが風の影響で頭部を強制的に振られるといったことをも防止できることになる。
ところで、本発明は、上記実施形態に限定されるものではなく、実施の形態に応じて適宜変更可能である。
言うまでもなく、コート本体２、標準フード３及びヘルメット用フード４に関し、それらの材質、形体、色、デザインなどは何ら限定されるものではない。例えば材質としては、撥水性を有するものであれば何でもよく、ビニル系やナイロン系などの樹脂シート製としたり化繊生地製としたりすればよい。綿などを含む布帛製としたうえで撥水処理したものを使用することも可能である。
【００２３】
またコート本体２の形体では、上衣と下位（長ズボンタイプ）とに分かれた形体などを採用することができる。コート本体２と標準フード３とについても係脱手段を介して取り付ける構造とし、標準フード３を繰り返し着脱できるようにしてもよい。
ヘルメット用フード４に設ける絞り紐材２１についても、綿ロープや樹脂ロープのように非伸縮性の紐によって形成することは可能であり、この場合も、両側の紐端を外部へ露出させ、着用者Ｍが必要に応じて絞り込みを行えるようにしておくとよい。
【図面の簡単な説明】
【００２４】
【図１】図２のレインコートについて標準フード及びヘルメット用フードの取付状況を示した側面図である。
【図２】本発明に係る自転車乗車用レインコートの一実施形態を示した背面図である。
【図３】図２のレインコートの着用状況を示した側面図であって（Ａ）はヘルメットの非着用時としてあり（Ｂ）はヘルメットの着用時としてある。
【図４】図２のＡ−Ａ線断面図である。
【符号の説明】
【００２５】
１  レインコート
２  コート本体
３  標準フード
４  ヘルメット用フード
５  係脱手段
２０  ヘルメット
２１  絞り紐材
Ｍ  着用者
ｈ  頭部
【図１】
2010095822.tif 000003
【図２】
2010095822.tif 000004
【図３】
2010095822.tif 000005
【図４】
2010095822.tif 000006